(57)【要約】  無線受信装置（ＦＭラジオ受信機）は、受信した電波の振幅レベルを検出する振幅検出部１３と、振幅レベルを監視してマルチパスの発生状況の程度を検出するマルチパス発生状況検出部１４と、マルチパス発生状況の程度に基づき振幅補正の動作制限レベルの判定を行うマルチパス発生状況判定部１５と、電波の受信状況を判定する受信状況判定部２０と、受信状況判定部２０から出力される受信状況判定結果に基づきマルチパス発生状況判定部１５により出力される振幅補正動作制限レベルの調整を行う制限レベル判定部２１とを備え、ＦＭ復調器９の振幅補正に動作制限を設けてマルチパスノイズの抑制を行なう。
2009113226.tif 000002
【特許請求の範囲】
【請求項１】
復調器の振幅補正に動作制限を設けてマルチパスノイズの抑制を行なう無線受信装置であって、
受信した電波の振幅レベルを検出する振幅検出部と、
前記振幅検出部により出力される振幅レベルを監視してマルチパスの発生状況の程度を検出するマルチパス発生状況検出部と、
前記マルチパス発生状況検出部により検出されたマルチパス発生状況の程度に基づき前記振幅補正の動作制限レベルの判定を行うマルチパス発生状況判定部と、
受信電界レベルと変調信号レベルの一方、もしくは両方により前記電波の受信状況を判定する受信状況判定部と、
前記受信状況判定部から出力される受信状況判定結果に基づき前記マルチパス発生状況判定部により出力される振幅補正動作制限レベルの調整を行う制限レベル判定部と、
を備えたことを特徴とする無線受信装置。
【請求項２】
前記マルチパス発生状況検出部は、
前記振幅レベルの瞬時の落ち込みを検出し、正規化して得られる検出レベルの大小によりマルチパス発生の程度を判定して前記マルチパスの発生状況を検出することを特徴とする請求項１記載の無線受信装置。
【請求項３】
前記マルチパス発生状況判定部は、
前記振幅補正の動作制限レベルを判定する際、前記マルチパス発生状況検出部により検出されるマルチパス発生の程度が強い場合に判定出力を大きい方向に、マルチパス発生の程度が弱い場合に判定出力を小さい方向に設定することを特徴とする請求項１記載の無線受信装置。
【請求項４】
前記受信電界レベルに基づき受信状況を検出する受信電界レベル検出部を備え、
前記制限レベル判定部は、
前記マルチパス発生状況検出部で検出されたマルチパスの発生状況と、前記受信電界レベル検出部で検出された受信電界レベルとに基づき、前記振幅補正動作制限レベルの調整を行うことを特徴とする請求項１記載の無線受信装置。
【請求項５】
前記復調器の変調信号レベルに基づき受信状況を検出する変調信号レベル検出部を備え、
前記制限レベル判定部は、
前記マルチパス発生状況検出部で検出されたマルチパスの発生状況と、前記変調信号レベル判定部で検出された変調信号レベルに基づき、前記振幅補正動作制限レベルの調整を行うことを特徴とする請求項１記載の無線受信装置。
【請求項６】
前記受信電界レベルに基づき受信状況を検出する受信電界レベル検出部と、
前記変調信号レベルに基づき受信状況を検出する変調信号レベル検出部を備え、
前記制限レベル判定部は、
前記マルチパス発生状況検出部で検出されたマルチパスの発生状況と、前記受信電界レベル検出部で検出された受信電界レベルと、前記変調信号レベル検出部で検出された変調信号レベルとに基づき、前記振幅補正動作制限レベルの調整を行うことを特徴とする請求項１記載の無線受信装置。
【発明の詳細な説明】
【技術分野】
【０００１】
この発明は、例えば、ＦＭ（Ｆｒｅｑｕｅｎｃｙ Ｍｏｄｕｌａｔｉｏｎ）変調された搬送波を受信し、デジタル信号処理を用いて復調する、特に、車載用ＦＭラジオ受信機に用いて好適な、無線受信装置に関するものである。
【背景技術】
【０００２】
ラジオ、テレビ、あるいは携帯電話等の無線受信装置において、放送局あるいは基地局から送信された電波が、建物や地形等の障害によって反射、回折し、複数の経路から同じ電波（遅延波）を受信するマルチパスノイズによる受信品質の劣化が問題となる。
特に、車載用ＦＭラジオ受信機は、車両に搭載され移動を伴うため、マルチパス発生を伴う受信状況が時々刻々と変化し、このため、受信状況に応じて適切な制御を行い、マルチパスノイズを抑制することが重要設計事項になる。【０００３】
上記した受信状況に応じて適切な制御を行い、マルチパスノイズを抑制する方法については従来から多数の出願がなされている。例えば、マルチパスが発生すると、音声信号上の高周波成分が増加して耳障りなノイズ音（歪）となるが、この高周波成分のノイズに対し高周波成分を減衰させる方法が知られている。また、マルチパスが発生すると、ステレオパイロット信号が歪みの影響を受けて、ステレオ分離が正しく行われないステレオ歪みと呼ばれる弊害が発生するが、このステレオ歪みに対してはモノラル信号化する方法が知られている（いずれも特許文献１参照）。【０００４】
【特許文献１】特開２００３−６９４３６号公報（段落［０００６］〜［０００７］）
【０００５】
図１３に従来の代表的なＦＭラジオ受信機の内部構成の一例が示されている。図１３において、アンテナ１で受信されたＦＭ波は、高周波増幅器２（ＲＦ）で増幅された後、周波数変換器３（ＭＩＸ）で周波数変換され、中間周波フィルタ５（ＢＰＦ）で隣接チャンネル波などの不要成分が除去される。中間周波フィルタ５を通過したＦＭ波は、リミッタ中間周波数増幅器６（ＩＦ−ＡＧＣ）で増幅振幅制限された後、前置フィルタ７（ＬＰＦ）で中間周波数の高周波成分が除去され、アナログ・デジタル変換器８（Ａ／Ｄ）でデジタル信号に変換される。そして、デジタル信号に変換されたＦＭ波はＦＭ復調器９で復調された後、デジタル・アナログ変換器１０（Ｄ／Ａ）でアナログ音声信号に変換され、音声増幅器１１を介してスピーカ１２へ出力される。【０００６】
上記構成において、マルチパスが発生すると、音声信号上の高周波成分が増加して耳障りなノイズ音（歪）となるが、この高周波成分のノイズに対し、周波数特性設定部２３（ＨＣＣ）により高周波成分を減衰させている。また、ステレオパイロット信号が歪みの影響を受けて、ステレオ分離が正しく行われないステレオ歪みと呼ばれる弊害が発生するが、このステレオ歪みに対してはセパレーション設定部２２（ＳＲＣ）においてモノラル信号化することにより受信状況に応じて適切な制御を行い、マルチパスノイズを抑制している。【０００７】
そのため、帯域通過フィルタ１６（ＢＰＦ）の出力に基づいて、セパレーション設定部２２と周波数特性設定部２３をノイズの発生状況に合わせて制御している。また、マルチパスノイズの発生そのものを抑制するために、ＦＭ復調器９における振幅補正に動作制限を設けている。
この振幅補正動作制限の制御用パラメータとして、受信電界レベルと変調信号レベルに基づく受信状況を用い、受信電界レベル検出部１８と変調信号レベル検出部１９の出力から、受信状況判定部２０によって受信状況を判定し、この受信状況に応じて上記した動作制限レベルの制御を行っている。【０００８】
上記したように、従来のＦＭラジオ受信機によれば、ＦＭ復調器における振幅補正に動作制限を設けることでマルチパスノイズの抑制を行なっており、また、この振幅補正動作制限の制御用パラメータとして、受信電界レベル、変調信号レベルの少なくとも一方、もしくは両方に基づく受信状況を用いていた。
しかしながら、上記した制御用パラメータにマルチパスの発生状況が加味されておらず、したがって、例えば、強いマルチパス発生状況においては振幅補正動作制限レベルが不足してマルチパス歪みが発生し、逆に、弱いマルチパス発生状況においては振幅補正動作制限レベルが過大となり、音声歪みが発生するという問題があった。【０００９】
この発明は上記した課題を解決するためになされたものであり、マルチパスの発生状況を加味して受信状況に応じた適切な制御を行い、マルチパスノイズを抑制することにより、一層の受信品質の向上をはかる無線受信装置を提供することを目的とする。
【発明の開示】
【００１０】
上記した課題を解決するためにこの発明の無線受信装置は、受信した電波の振幅レベルを検出する振幅検出部と、前記振幅検出部により出力される振幅レベルを監視してマルチパスの発生状況の程度を検出するマルチパス発生状況検出部と、前記マルチパス発生状況検出部により検出されたマルチパス発生状況の程度に基づき前記振幅補正の動作制限レベルの判定を行うマルチパス発生状況判定部と、受信電界レベルと変調信号レベルの一方、もしくは両方により前記電波の受信状況を判定する受信状況判定部と、前記受信状況判定部から出力される受信状況判定結果に基づき前記マルチパス発生状況判定部により出力される振幅補正動作制限レベルの調整を行う制限レベル判定部と、を備え、復調器の振幅補正に動作制限を設けてマルチパスノイズの抑制を行なうものである。
【００１１】
この発明の無線受信装置によれば、マルチパスの発生状況を加味して受信状況に応じた適切な制御を行い、マルチパスノイズを抑制することにより、一層の受信品質の向上がはかれる。
【図面の簡単な説明】
【００１２】
【図１】この発明の実施の形態１に係る無線受信装置の内部構成を示すブロック図である。
【図２】この発明の実施の形態１に係る無線受信装置が有するマルチパス発生状況検出部の内部構成を示すブロック図である。
【図３】この発明の実施の形態１に係る無線受信装置が有するマルチパス発生状況判定部の内部構成を示すブロック図である。
【図４】この発明の実施の形態１に係る無線受信装置が有するマルチパス発生状況判定部の動作を説明するために示した図である。
【図５】この発明の実施の形態１に係る無線受信装置が有する受信状況判定部の内部構成を示すブロック図である。
【図６】この発明の実施の形態１に係る無線受信装置が有する受信状況判定部の動作（動作ａ）を説明するために示した図である。
【図７】この発明の実施の形態１に係る無線受信装置が有する受信状況判定部の動作（動作ｂ）を説明するために示した図である。
【図８】この発明の実施の形態１に係る無線受信装置が有する制限レベル判定部の内部構成を示すブロック図である。
【図９】この発明の実施の形態１に係る無線受信装置の動作を説明するために示したＦＭ復調器ならびにその周辺の回路構成を示すブロック図である。
【図１０】この発明の実施の形態２に係る無線受信装置の動作を説明するために示したＦＭ復調器ならびにその周辺の回路構成を示すブロック図である。
【図１１】この発明の実施の形態３に係る無線受信装置の動作を説明するために示したＦＭ復調器ならびにその周辺の回路構成を示すブロック図である。
【図１２】この発明の実施の形態４に係る無線受信装置の動作を説明するために示したＦＭ復調器ならびにその周辺の回路構成を示すブロック図である。
【図１３】従来のＦＭラジオ受信機の内部構成の一例を示すブロック図である。
【発明を実施するための最良の形態】
【００１３】
以下、この発明をより詳細に説明するために、この発明を実施するための最良の形態について、添付の図面にしたがって説明する。
実施の形態１．
図１は、この発明の実施の形態１に係る無線受信装置の内部構成を示すブロック図である。ここでは、無線受信装置として、ＦＭラジオ受信機が例示されている。【００１４】
図１に示されるように、ＦＭラジオ受信機は、アンテナ１と、高周波増幅器２（ＲＦ）と、周波数変換器３（ＭＩＸ）と、局部発信器４（ＬＯ）と、中間周波フィルタ５（ＢＰＦ）と、リミッタ中間周波数増幅器６（ＩＦ−ＡＧＣ）と、前置フィルタ７（ＬＰＦ）と、アナログ・デジタル変換器８（Ａ／Ｄ）と、ＦＭ復調器９と、デジタル・アナログ変換器１０（Ｄ／Ａ）と、音声増幅器１１と、スピーカ１２と、振幅検出部１３と、マルチパス発生状況検出部１４と、マルチパス発生状況判定部１５と、帯域通過フィルタ１６（ＢＰＦ）と、マルチパス低減部１７と、受信電界レベル検出部１８と、変調信号レベル検出部１９と、受信状況判定部２０と、制限レベル判定部２１と、セパレーション設定部２２（ＳＲＣ）と、周波数特性設定部２３（ＨＣＣ）と、により構成される。【００１５】
図１３に示す従来例と対比して明確なように、この発明の実施の形態１に係る無線受信装置であるＦＭラジオ受信機は、従来のＦＭラジオ受信機が有する構成に、マルチパス発生状況検出部１４と、マルチパス発生状況判定部１５と、制限レベル判定部２１とを付加したものである。
すなわち、マルチパス発生状況検出部１４は、振幅検出部１３により出力される振幅レベルを監視してマルチパスの発生状況の程度を検出してマルチパス発生状況判定部１５へ出力し、マルチパス発生状況判定部１５は、マルチパス発生状況検出部１４により検出されたマルチパス発生状況の程度に基づき振幅補正動作制限レベルの判定を行い、制限レベル判定部２１へ出力する。制限レベル判定部２１へは、他に、受信状況判定部２０から、受信電界レベルと変調信号レベルの一方、もしくは両方により前記電波の受信状況が入力されている。制限レベル判定部２１は、受信状況判定部２０から出力される受信状況判定結果に基づきマルチパス発生状況判定部１５により出力される振幅補正動作制限レベルの調整を行ってＦＭ復調器９に供給し、ＦＭ復調器９の振幅補正に動作制限を設けてマルチパスノイズの抑制を行なう。【００１６】
なお、上記したマルチパス発生状況検出部１４と、マルチパス発生状況判定部１５と、制限レベル判定部２１とは、具体的には、セパレーション設定部２２（ＳＲＣ）、周波数特性設定部２３（ＨＣＣ）とともに、ＤＳＰ（Ｄｉｇｉｔａｌ Ｓｉｇｎａｌ Ｐｒｏｃｅｓｓｏｒ）、もしくはＭＰＵ（Ｍｉｃｒｏ Ｐｒｏｃｅｓｓｏｒ Ｕｎｉｔ）、あるいはその組み合わせにより実現される。すなわち、ＤＳＰもしくはＭＰＵに内蔵された、もしくは外付けのメモリに記録されたプログラムに基づき、周辺のＬＳＩ（ＦＭ復調器９等）と協働して動作することにより、マルチパス発生状況検出部１４、マルチパス発生状況判定部１５、制限レベル判定部２１が有する上記した機能を実現するものである。以下にその詳細を説明する。【００１７】
図２は、図１に示すマルチパス発生状況検出部１４の内部構成の一例を示す図である。図２に示されるように、マルチパス発生状況検出部１４は、平滑処理部１４１，１４２と、逆数演算部１４３と、乗算部１４４により構成される。【００１８】
上記構成において、図１に示す振幅検出部１３で検出された振幅レベルは、平滑処理部１４１，１４２に入力される。マルチパスが発生した場合、この振幅レベルに瞬時の落ち込みが発生することは周知の通りである。
平滑処理部１４１では、振幅レベルが小さくなる方向に対しては遅い時定数を、逆に、振幅レベルが大きくなる方向に対しては早い時定数を設定している。これによって、平滑処理部１４１では、瞬時の落ち込みには追随せず、振幅のハイレベルを検出することができる。一方、平滑処理部１４２では、振幅レベルが小さくなる方向に対しては早い時定数を、逆に振幅レベルが大きくなる方向に対しては遅い時定数を設定している。これによって、瞬時の落ち込みに追随し、振幅のローレベルを検出することができる。【００１９】
逆数演算部１４３、乗算部１４４では、平滑処理部１４１の出力の逆数と、平滑処理部１４２の出力を乗算している。これによって、振幅の落ち込みを正規化している。
乗算部１４４による乗算出力は、振幅の落ち込みが大きい場合には小さくなり、逆に振幅の落ち込みが小さい場合には大きくなる。そのため、乗算出力が小さくなる方向で強いマルチパス発生状況、逆に乗算出力が大きくなる方向では弱いマルチパス発生状況であることが分かる。このように、マルチパス発生状況の検出は、搬送波振幅レベルの瞬時の落ち込みを検出し、正規化することによって行う。このことにより、検出値が大きい場合には強いマルチパス、検出値が小さい場合には弱いマルチパスといった判定が可能である。【００２０】
図３は、図１に示すマルチパス発生状況判定部１５の内部構成の一例を示す図である。図３に示されるように、マルチパス発生状況判定部１５は、加算部１５１と、乗算部１５２により構成される。【００２１】
上記構成において、図１、図２に示すマルチパス発生状況検出部１４で検出されたマルチパス発生状況は、加算部１５１によってオフセットが加えられ、乗算部１５２によって傾きが乗算され、図１に示す制限レベル判定部２１に、振幅補正動作制限レベルとして出力される。このオフセットと傾きをパラメータとして設定することにより、検出されたマルチパス発生状況に対する振幅補正動作制限レベルの調整が可能である。【００２２】
図４に、上記したマルチパス発生状況判定部１５の動作の一例が示されている。図４は、横軸にマルチパス発生状況検出部１４の出力を、縦軸にマルチパス発生状況判定部１５の出力をそれぞれ目盛ったグラフであり、このグラフ上にマルチパス発生状況判定部１５の動作が模式的に示されている。
ここでは、マルチパス発生状況が小さい、すなわち、マルチパス発生の程度が強い場合にはマルチパス発生状況判定出力が大となるようにマルチパス発生状況判定部１５を動作させている。逆に、マルチパス発生状況が大きい、すなわち、マルチパスの程度が弱い場合にはマルチパス発生状況判定出力が小となるように、マルチパス発生状況判定部１５を動作させている。ここで、マルチパス発生状況判定出力が大であるということはマルチパス抑圧効果が高く、マルチパス発生状況判定出力が小であるということはマルチパス抑圧効果が低いことを示している。【００２３】
図５は、図１に示す受信状況判定部２０の内部構成の一例を示す図である。図５に示されるように、受信状況判定部２０は、受信電界比較部２０１，２０３と、変調信号比較部２０２，２０４と、判定部２０５，２０６とにより構成される。【００２４】
上記構成において、受信電界比較部２０１は、予め設定された少なくとも１段階以上の閾値と、入力される受信電界レベルとを比較し、その時点での受信電界レベルが閾値に対して如何なる関係にあるかについて判定部２０５に出力している。また、変調信号比較部２０２では、同じく予め設定された少なくとも１段階以上の閾値と、入力される変調信号レベルとを比較し、その時点での変調信号レベルが閾値に対して如何なる関係にあるかについて判定部２０５に出力している。
一方、受信電界比較部２０３では、予め設定された少なくとも１段階以上の閾値と入力される受信電界レベルとを比較し、その時点での受信電界レベルが閾値に対して如何なる関係にあるかについて判定部２０６に出力している。また、変調信号比較部２０４では、同じく予め設定された少なくとも１段階以上の閾値と、入力される変調信号レベルとを比較し、その時点での変調信号レベルが閾値に対して如何なる関係にあるかについて判定部２０６に出力している。【００２５】
図６は、上記した受信状況判定部２０における、受信電界比較部２０１と変調信号比較部２０２と判定部２０５の動作（動作ａ）の一例をグラフ上に模式的に示した図である。
ここでは、簡単化のために、変調信号レベル、受信電界レベルともに３段階での判定を行うものとして説明する。すなわち、変調信号レベルに対してＭ１、Ｍ２の閾値を設け、低変調から高変調まで３つに区分し、受信電界レベルに対してもＳ１、Ｓ２の閾値を設け、弱電界から強電界まで３つに区分している。図６中、１〜３の数字はそれぞれ制限レベルであり、制限レベル１が最も低い設定であり、このときマルチパスノイズの抑圧効果は最も小さく、制限レベル３が最も高い設定であり、このときマルチパスノイズの抑圧効果は最も大きい。判定部２０５は、受信電界レベルと変調信号レベルによって決まる制限レベル１〜３を受信状況判定結果＃１として制限レベル判定部２１へ出力する。【００２６】
図７は、上記した受信状況判定部２０における、受信電界比較部２０３と変調信号比較部２０４と判定部２０６の動作（動作ｂ）の一例をグラフ上に模式的に示した図である。
ここでは、簡単化のために、変調信号レベル、受信電界レベルともに３段階での判定を行うものとして説明する。すなわち、変調信号レベルに対しＭ３、Ｍ４の閾値を設け、低変調から高変調まで３つに区分し、受信電界レベルに対してもＳ３、Ｓ４の閾値を設け、弱電界から強電界まで３つに区分している。図７中、Ａ〜Ｃの英記号はそれぞれ制限レベル判定部２１に入力される係数であり、係数Ａが最も低い設定であり、このときマルチパスノイズの抑圧効果は最も小さく、係数Ｃが最も高い設定であり、このときマルチパスノイズの抑圧効果は最も大きい。判定部２０６は、変調信号レベルと、受信電界レベルとによって決まる制限レベルＡ〜Ｃを受信状況判定結果＃２として制限レベル判定部２１へ出力する。【００２７】
図８は、図１に示す制限レベル判定部２１の内部構成の一例を示す図である。図８に示されるように、制限レベル判定部２１は、乗算部２１１と、加算部２１２とにより構成されている。【００２８】
上記構成において、乗算部２１１は、図１に示すマルチパス発生状況判定部１５から出力される判定出力に、受信状況判定部２０（判定部２０６）から出力される受信状況判定結果＃２を乗算して加算部２１２に出力する。加算部２１２は、乗算部２１１による乗算結果に、受信状況判定部２０（判定部２０５）から出力される受信状況判定結果＃１を加算し、この加算結果を振幅補正係数制限レベル判定結果（振幅補正動作制限レベル）として、ＦＭ復調器９へ出力している。【００２９】
図９は、振幅補正動作制限制御用パラメータとしてマルチパス発生状況を用いた場合のＦＭ復調器９ならびにその周辺の回路構成を示すブロック図である。
以下、この発明の実施の形態１に係る無線受信装置（ＦＭラジオ受信機）の動作について、図９を参照しながら詳細に説明する。【００３０】
ここでは、ＦＭ復調器９によるＦＭ復調の動作原理から簡単に説明する。ＦＭ波から復調信号を取り出すためには、出力信号の振幅が入力されたＦＭ信号の周波数変化に応答して変化することと（条件＃１）、出力信号の振幅が入力されたＦＭ信号の振幅変化に応答しないこと（条件＃２）、の２つの条件を満足するＦＭ復調器９が必要になる。なお、これら以外にもＦＭ復調器９に求められる条件は種々存在するが、簡単化のために省略する。【００３１】
図９に示されるように、ＦＭ復調器９は、ＦＭ復調部９１と、振幅補正部９２と、補正係数演算部９３と、制限レベル制御部９４とにより構成される。
ＦＭ復調部９１は、入力信号（ＦＭ信号）を復調して振幅補正部９２へ出力するが、この出力は、上記の条件＃１を満たすが条件＃２を満たさない。すなわち、ＦＭ復調部９１の出力には入力信号の振幅変化応答成分が含まれる。振幅補正部９２は、この振幅変化応答成分をＦＭ復調部９１の出力から取り除く。また、補正係数演算部９３は、入力信号の振幅を検出し、この振幅の逆数に比例する振幅補正係数を生成して振幅補正部９２へ出力する。振幅補正部９２では、ＦＭ復調部９１の出力信号と補正係数演算部９３の出力である補正係数とを乗算することで、出力信号から振幅変化応答成分を取り除き、上記した条件＃１と条件＃２を満たす復調された音声信号を、図１に示す受信電界レベル検出部１８、変調信号レベル検出部１９、ＢＰＦ１６、ならびにＳＲＣ２２へ出力する。【００３２】
制限レベル制御部９４は、制限レベル切替部９４１と、制限レベル切替制御部９４２とにより構成される。
制限レベル切替部９４１は、制限レベル切替制御部９４２による制御の下、振幅検出部１３により検出された振幅を基準値と比較して、例えば、振幅検出部１３の出力が基準値より大きい場合は、振幅検出部１３出力をそのまま補正係数演算部９３へ出力し、逆に小さい場合は、制限レベル判定部２１による判定結果を出力するように動作する。なお、振幅検出部１３の出力がそのまま補正係数演算部９３へ入力される場合におけるＦＭ復調器９の動作は従来の動作と同様である。【００３３】
ところで、強いマルチパス状況下ではマルチパス発生状況判定部１５による出力が大きくなり、且つ、変調信号レベル、受信電界レベルが低い場合には受信状況判定結果＃１、＃２がそれぞれ大きくなるため、結果的に、制限レベル判定部２１により出力される振幅補正係数制限レベル判定結果は大きくなり、マルチパスノイズ抑制効果は大きい。
逆に、弱いマルチパス状況下ではマルチパス発生状況判定出力が小さくなり、且つ変調信号レベル、受信電界レベルが高い場合には受信状況判定結果＃１、＃２がそれぞれ小さくなり、結果的に、制限レベル判定部２１により出力される振幅補正係数制限レベル判定結果が小さくなるため、マルチパスノイズ抑制効果は小さい。【００３４】
上記したように実施の形態１によれば、振幅補正動作制限制御用パラメータとして、マルチパス発生状況を用いることで、振幅補正動作制限レベルの不足によるマルチパスノイズの除去漏れ、振幅補正動作制限レベルの過大による音声歪みの発生をそれぞれ抑えることができる。
すなわち、振幅検出部１３の出力が基準値より小さい場合、ＦＭ復調器９の制限レベル制御部９４（制限レベル切替部９４１）が、補正係数演算部９３に対してマルチパス発生状況判定部１５による判定結果を出力することで、マルチパス発生が大の際にはマルチパスノイズを効果的に低減し、マルチパス発生が小の際には振幅補正動作制限の過大により音声歪みが発生するという弊害を防ぐことができる。【００３５】
実施の形態２．
図１０は、振幅補正動作制限制御用パラメータとしてマルチパス発生状況と受信電界レベルを用いた場合のＦＭ復調器９ならびにその周辺の回路構成を示すブロック図である。
以下、この発明の実施の形態２に係る無線受信装置（ＦＭラジオ受信機）の動作について、図１０を参照しながら詳細に説明する。【００３６】
図９に示す実施の形態１との構成上の差異は、マルチパス発生状況判定部１５によるマルチパス発生状況のみならず、このマルチパス発生状況と受信電界レベル検出部１８による受信電界レベルとに基づき振幅補正動作制限レベルを判定する制限レベル判定部２１の出力を、ＦＭ復調器９の制限レベル制御部９４（の制限レベル切替制御部９４２）に供給したことにある。
すなわち、受信電界レベルが低い場合にはマルチパスノイズの発生頻度が高くなり、逆に受信電界が高い場合にはマルチパスノイズの発生頻度は低くなる。このため、制限レベル判定部２１の出力により、マルチパス発生が大であり、且つ、受信電界レベルが低くなる方向に対しては振幅補正動作制限を強め、また、マルチパス発生が小且つ受信電界レベルが高くなる方向に対しては振幅補正動作制限を弱めるように動作させることが可能である。【００３７】
上記したように、実施の形態２によれば、振幅補正動作制限制御用パラメータとして、マルチパス発生状況と受信電界レベルとを検出し、これらを用いることで、振幅補正動作制限レベルの不足によるマルチパスノイズの除去不足、振幅補正動作制限レベルの過大による音声歪みの発生をそれぞれ抑えることができる。
すなわち、振幅検出部１３の出力が基準値より小さい場合、ＦＭ復調器９の制限レベル制御部９４（制限レベル切替部９４１）が、補正係数演算部９３に対して制限レベル判定部２１による判定結果を出力することで、マルチパス発生が大であり、且つ、受信電界レベルが低くなる方向に対しては振幅補正動作制限を強め、また、マルチパス発生が小且つ受信電界レベルが高くなる方向に対しては振幅補正動作制限を弱めることができる。したがって、マルチパスノイズを効果的に低減し、また、マルチパス発生が小且つ受信電界レベルが高くなる方向に対しては振幅補正動作制限を弱め、振幅補正動作制限の過大により音声歪みが発生するという弊害を防ぐことができる。【００３８】
実施の形態３．
図１１は、振幅補正動作制限制御用パラメータとしてマルチパス発生状況と変調信号レベルを用いた場合のＦＭ復調器９ならびにその周辺の回路構成を示すブロック図である。
以下、この発明の実施の形態３に係る無線受信装置（ＦＭラジオ受信機）の動作について、図１１を参照しながら詳細に説明する。【００３９】
図９に示す実施の形態１との構成上の差異は、マルチパス発生状況判定部１５によるマルチパス発生状況のみならず、このマルチパス発生状況と変調信号レベル検出部１９による変調信号レベルとに基づき振幅補正動作制限レベルを調整する制限レベル判定部２１の出力を、ＦＭ復調器９の制限レベル制御部９４（の制限レベル切替制御部９４２）に供給したことにある。
すなわち、変調信号レベルが低い場合にはマルチパスノイズは目立ちやすく、振幅補正動作制限による音声歪等の違和感は目立ちにくい傾向にある。逆に、変調信号レベルが高い場合にはマルチパスノイズは目立ちにくく、振幅補正動作制限による音声歪み等の違和感は目立ちやすい傾向にある。このため、制限レベル判定部２１の出力により、マルチパス発生が大で、且つ、変調信号レベルが低くなる方向に対しては振幅補正動作制限を強め、また、マルチパス発生が小且つ変調信号レベルが高くなる方向に対しては振幅補正動作制限を弱めることができる。【００４０】
上記したように、実施の形態３によれば、振幅補正動作制限制御用パラメータとして、マルチパス発生状況と、変調信号レベルとを検出し、これらを用いることで、振幅補正動作制限レベルの不足によるマルチパスノイズの除去不足、振幅補正動作制限レベルの過大による音声歪みの発生をそれぞれ抑えることができる。
すなわち、振幅検出部１３の出力が基準値より小さい場合、ＦＭ復調器９の制限レベル制御部９４（制限レベル切替部９４１）が、補正係数演算部９３に対して制限レベル判定部２１による判定結果を出力することで、マルチパス発生が大で、変調信号レベルが低くなる方向に対しては振幅補正動作制限を強めてマルチパスノイズを効果的に低減し、また、マルチパス発生が小且つ変調信号レベルが高くなる方向に対しては振幅補正動作制限を弱めることにより、振幅補正動作制限の過大により音声歪みが発生するという弊害を防ぐことができる。【００４１】
実施の形態４．
図１２は、振幅補正動作制限制御用パラメータとして、マルチパス発生状況と受信電界レベルと変調信号レベルとを用いた場合のＦＭ復調器９、ならびにその周辺の回路構成を示すブロック図である。
以下、この発明の実施の形態４に係る無線受信装置（ＦＭラジオ受信機）の動作について、図１２を参照しながら説明する。【００４２】
図９に示す実施の形態１との構成上の差異は、マルチパス発生状況判定部１５によるマルチパス発生状況のみならず、このマルチパス発生状況と、受信電界レベル検出部１８により検出される受信電界レベルと、変調信号レベル検出部１９により検出される変調信号レベルとに基づき、ＦＭ復調器９の振幅補正動作制限レベルを調整する制限レベル判定部２１の出力を、ＦＭ復調器９の制限レベル制御部９４（の制限レベル切替制御部９４２）に供給したことにある。【００４３】
上記したように、受信電界レベルが低い場合にはマルチパスノイズの発生頻度が高くなり、逆に受信電界が高い場合にはマルチパスノイズの発生頻度は低くなる。また、変調信号レベルが低い場合にはマルチパスノイズは目立ちやすく、振幅補正動作制限による音声歪み等の違和感は目立ちにくい傾向にある。逆に、変調信号レベルが高い場合にはマルチパスノイズは目立ちにくく、振幅補正動作制限による音声歪み等の違和感は目立ちやすい傾向にある。
このため、制限レベル判定部２１の出力により、マルチパス発生が大で、且つ、受信電界レベルが低く、変調信号レベルが低くなる方向に対しては振幅補正動作制限を強め、また、マルチパス発生が小で、且つ、受信電界レベルが高く、変調信号レベルが高くなる方向に対しては、振幅補正動作制限を弱めることができる。【００４４】
上記したように、実施の形態４によれば、振幅補正動作制限制御用パラメータとして、マルチパス発生状況と、受信電界レベルと、変調信号レベルとを検出し、これらを用いることで、振幅補正動作制限レベルの不足によるマルチパスノイズの除去不足、振幅補正動作制限レベルの過大による音声歪みの発生をそれぞれ抑えることができる。
すなわち、振幅検出部１３の出力が基準値より小さい場合、ＦＭ復調器９の制限レベル制御部９４（制限レベル切替部９４１）が、補正係数演算部９３に対して制限レベル判定部２１による判定結果を出力することで、制限レベル判定部２１の出力により、マルチパス発生が大で、且つ、受信電界レベルが低く、変調信号レベルが低くなる方向に対しては振幅補正動作制限を強め、マルチパスノイズを効果的に低減することができる。また、マルチパス発生が小で、且つ、受信電界レベルが高く、且つ、変調信号レベルが高くなる方向に対しては振幅補正動作制限を弱めることにより、振幅補正動作制限の過大により音声歪みが発生するという弊害を防ぐことができる。【００４５】
以上説明のようにこの発明の無線受信装置によれば、マルチパスの発生状況を加味して受信状況に応じた適切な制御を行い、マルチパスノイズを抑制することにより、一層の受信品質の向上をはかることができる。このため、特に、車両に搭載されるため移動を伴い、受信状況が時々刻々と変化する車載用ＦＭラジオ受信機に用いて顕著な効果が得られる。
なお、上記したこの発明の実施の形態１〜４に係る無線受信装置として、ＦＭラジオ受信機のみ例示したが、ＦＭラジオ受信機に制限されることなく、テレビや携帯電話等、放送局や基地局を介して放送もしくは送信される電波を受信する全ての無線受信装置について応用が可能である。【００４６】
また、図１に示す、マルチパス発生状況検出部１４、マルチパス発生状況判定部１５、制限レベル判定部２１が有する機能は、全てをソフトウェアによって実現しても、あるいはその少なくとも一部をハードウェアで実現してもよい。
例えば、マルチパス発生状況検出部１４で検出されたマルチパスの発生状況に基づき、振幅補正動作制限レベルを判定する制限レベル判定部２１におけるデータ処理は、１または複数のプログラムによりコンピュータ上で実現してもよく、また、その少なくとも一部をハードウェアで実現してもよい。
【産業上の利用可能性】
【００４７】
以上のように、この発明にかかる無線受信装置は、マルチパスの発生状況を加味して受信状況に応じた適切な制御を行い、マルチパスノイズを抑制するため、受信した電波の振幅レベルを検出する振幅検出部と、前記振幅検出部により出力される振幅レベルを監視してマルチパスの発生状況の程度を検出するマルチパス発生状況検出部と、前記マルチパス発生状況検出部により検出されたマルチパス発生状況の程度に基づき前記振幅補正の動作制限レベルの判定を行うマルチパス発生状況判定部と、受信電界レベルと変調信号レベルの一方、もしくは両方により前記電波の受信状況を判定する受信状況判定部と、前記受信状況判定部から出力される受信状況判定結果に基づき前記マルチパス発生状況判定部により出力される振幅補正動作制限レベルの調整を行う制限レベル判定部とを備え、復調器の振幅補正に動作制限を設けるように構成したので、ラジオ、テレビ、あるいは携帯電話等の無線受信装置、特に、車両に搭載されるため移動を伴い、受信状況が時々刻々と変化する車載用ＦＭラジオ受信機などに用いるのに適している。
【図１】
2009113226.tif 000003
【図２】
2009113226.tif 000004
【図３】
2009113226.tif 000005
【図４】
2009113226.tif 000006
【図５】
2009113226.tif 000007
【図６】
2009113226.tif 000008
【図７】
2009113226.tif 000009
【図８】
2009113226.tif 000010
【図９】
2009113226.tif 000011
【図１０】
2009113226.tif 000012
【図１１】
2009113226.tif 000013
【図１２】
2009113226.tif 000014
【図１３】
2009113226.tif 000015
【国際調査報告】
2009113226.tif 000016
2009113226.tif 000017